(57)【要約】　　　（修正有）【課題】収納袋を大きさを変え袋口に中身の飛出し防止カバーを設け、袋を小さい袋から大きい袋へ段々に重ね袋口は仕訳区別欄を設ける事により書類や資料等を簡単に仕訳・区別・確認・保存が効率の良い作業が出来るようにした書類区別収納袋を提供する。【解決手段】圧着部（６）に収納袋（１）を併設付設し収納袋（１）の袋口（５）の前面部に仕訳区別欄（３）（３ａ）を設け収納袋（１）に確認窓（２）を穿設し圧着部（６）に収納袋（１）を複数重合せ表紙（９）に使用目的の名前・名称等を記入し裏表紙（１０）に使用方法や注意事項など記載し収納袋（１）の後方上部に接合部（８）に貼着し折り線部（７）より折曲した飛出し防止カバー（４）（４ａ）を設けた書類区別収納袋。【選択図】図７
2004082683.tif 000002
【特許請求の範囲】
【請求項１】
圧着部（６）に収納袋（１）を併設付設し収納袋（１）の袋口（５）の前面部に仕訳区別欄（３）を設け収納袋（１）に内部確認窓（２）を穿設した事を特徴とする書類区別収納袋。
【請求項２】
収納袋（１）の上部後方に接合部（８）を貼着し、折り線部（７）より折曲した飛出し防止カバー（４）を設け仕訳区別欄（３ａ）を設け収納袋（１）を使用目的枚数を圧着部（６）に重合し表紙面（９）から内部確認窓（２）を穿設した事を特徴とする請求項１の書類区別収納袋。
【請求項３】
収納袋（１）を複数重合させた、後の収納袋（１）の上部後方に接合部（８）を貼着し折り線部（７）より折曲した飛出し防止カバー（４ａ）を設け、仕訳区別欄（３ａ）を設け表紙（９）から裏表紙（１０）へ確認窓（２）を穿設しち事を特徴とする請求項１の書類区別収納袋。
【発明の詳細な説明】
【０００１】
【発明の属する技術分野】
本発明は、書類等を簡単、容易に仕訳、区別、整理、収納、保存に便利な書類別収納袋に関するものである。
【０００２】
【従来の技術】
従来、書類や資料を仕訳、区別、収納、保存するのには封筒や書類挟み（ファイル）段ボウル箱等を使用していたのが一般的であった。
【０００３】
【発明が解決しようとする課題】
そこで本発明は、書類、資料等の仕訳・区別・計算・収納・保存に手間を欠ずに誰が見ても簡単に中身の書類が確認でき便利に取扱が出来る事を目的にしたものである。
【０００４】
【課題を解決するための手段】
本発明は、圧着部（６）に収納袋（１）を併設圧着し収納袋（１）の袋口（５）の前面部に仕訳区別欄（３）を設け収納袋（１）に内部確認窓（２）を穿設した事を特徴とする書類区別収納袋。
請求項２の発明は、収納袋１の上部後方に接合部８を貼着し、折り線部７より折曲した飛出し防止カバー４を設け仕訳区別欄３ａを設け、収納袋１を使用目的枚数を圧着部６に重合し表紙面９から内部確認窓２を穿設した事を特徴とする書類区別収納袋である。
請求項３の発明は、収納部１を複数重合させた、後の収納袋１の上部後方に接合部８を貼着し折り線部７より折曲した飛出し防止カバー４ａを設け、仕訳区別欄３ａを設け内部確認窓２を穿設した事を特徴とする書類区別収納袋である。
【０００５】
【発明の実施の形態】
以下、本発明の実施の形態を図示例と共に説明する。
収納袋１に仕訳区分欄３・３ａやサイズの違う書類区分収納袋を設ける事により書類等は使用目的より大きさが違ってくるので、大きさに合わせた各項目区分を記載する事により一目瞭然であり簡単に確実な作業を目的としたものである。
【０００６】
図１、図６の実施形態は圧着部６に収納袋１を併設付設し収納袋１を複数重合させ使用目的に合わせ収納袋１の大きさを変え段々に設け、仕訳区別欄３が一目で確認できる。
内部確認窓２を穿設した事にり、書類の有無の確認、今までない視覚がいられる。
【０００７】
図２、図３、図４、図５に表れる様に、収納袋１の袋口５の後方上部に接合部８を貼着する事により折り線部７より折曲させる事により収納袋１の中身の飛出し防止カバー４になっているので書類等の紛失を防ぐ事ができる。
飛出し防止カバー４の面には、仕訳区分欄３ａを設けて有るので項目別に記載されるので仕訳が簡単にできる。
飛出し防止カバー４は貼着ができるので仕訳項目記入が間違えても張りかいが出来るので安心で便利に使用できる。
図２のように飛出し防止ガバー４を、製造段階で一緒に成形する事もできる。
【０００８】
図７の実施形態は、上記に記載したように、収納袋１の上部後方に接合部８を貼着した収納袋１を大きさを段々に作成したものを、圧着部６を高さの高い物から順番に段々に重合し、折り線部７より折曲し中身の飛出し防止カバー４として効果をいられる。
折曲した面に仕訳区別欄３ａに項目別に記載できるので何段に別れても一目に確認できる。
内部確認窓２を収納袋１の一番手前から全体の収納袋１に穿設する事により全部中身の有無が確認できるので見落としが無く安心できる。
【０００９】
図８の実施形態は、圧着部６に収納袋１を併設付設収し納袋１の上部後方に接合部８を貼着し折り線部７より折曲した飛出し防止カバー４の表面に仕訳区別欄３ａを設け各項目記載し書類等の収納に便利に使用できる。
使用目的に合わせ収納袋１の数、大きさを決め圧着部６に重合させる事により、使用目的に合った書類区分収納袋できる。
【００１０】
図１０の実施形態は、収納袋１の袋口５前面上部に仕訳区別欄３を設け使用目的に合わせた収納袋１の大きさを決め圧着部６重合し収納袋１の一番後の後方上部の接合部８に貼着し折り線部７より折曲した飛出し防止カバー４を段々に重合させた袋口５を一枚で覆い被せる事ができる大きさにし捲る事により内部の仕訳区別欄３が一目確認できるようにしたものである。
収納袋１の上部前面に接合部８を貼着し袋口５の下部に仕訳区別欄３を設け、上記に記載の複数重合させた圧着部６に重合させ前面表紙から全体に穿設して内部の確認、書類の仕訳、収納、保存に便利な書類区別収納袋でる。
【００１１】
図１１の実施形態は、収納袋１の上部後方に接合部８を貼合せた収納袋１を使用目的に合わせ複数段々重合したものに、表紙の裏側に袋口５を設けた収納袋１を圧着部６に重合させ前面表紙から全体に穿設して内部の確認、書類の仕訳、保存に便利な書類区別収納袋である。
【００１２】
図１２、図１３、図１４の実施形態は、書類区別収納袋の使用目的の一例を取り上げて図１２、仕訳区別欄３・３ａと図１３、表紙９と図１４、裏表紙１０の使用方法を記載したものである。
此の、記載一例は、個人や会計事務所を通うして確定申告を行なう時に、仕訳・区別・計算・収納・保存に便利に取り扱いやすく記載したものである。
図１２は、一般の納税者が確定申告をするときに書類を項目別に仕訳し計算し収納・保存をする時に仕訳区別欄３、３ａに項目を記載しておけば間違いの無い書類作りができる。
図１３は、確定申告を行なう納税者の氏名や書類の完成日・年度・担当者・所得の種類など記載ができる。
表紙に確認窓２を穿設してある開口部を利用し、たとえば人の目のように飾り絵柄等を生かし表紙の飾り模様に使用もできる。
図１４は、裏表紙に確定申告に必要な注意事項や取扱方法などを記載もできる。又、取り扱う会計事務所や税務署・税理士・商品等の公告、宣伝も記載できるので、幅広くいろいろな効果をもたされる。
【００１３】
【発明の効果】
本発明は、収納袋に書類飛出し防止カバーが取り付け出来るので中の書類等を紛失しないので安心できる。
収納袋の大きさが色々あるので大きさに合わせた書類等を収納、保存ができる。いろいろな業種に使用できる。（会社・病院・役所・税務署・農協・農家・納税者・一般家庭・コレクション等に）。
書類の確認が書類の大きさによってもわかる。
確認窓が開いているので中身の有無がすぐわかる。
確認窓の開口部を利用して表紙の絵柄を作成できる。
袋の大きさを段々に並べることにより死角なくなる。
各項目の一覧性により必要書類か一目瞭然である。
特に、確定申告時、納税者は、この袋を使用することにより、年に一度の準備が容易なる、書類等の保存方法が一目瞭然に収納できる為である。
【図面の簡単な説明】
【図１】本願発明の一実施形態の示す正面図
【図２】本願発明の一実施形態の示す正面図
【図３】本願発明の一実施形態の示す部分正面図
【図４】本願発明の一実施形態の示す斜視図
【図５】本願発明の一実施形態の示す斜視図
【図６】本願発明の一実施形態の示す重合正面図
【図７】本願発明の一実施形態の示す重合正面図
【図８】本願発明の一実施形態の示した重合した斜視図
【図９】本願発明の一実施形態の示す正面図
【図１０】本願発明の一実施形態の示す展開図
【図１１】本願発明の一実施形態の示す展開図
【図１２】本願発明の一実施形態の示す参考図
【図１３】本願発明の一実施形態の示す参考図
【図１４】本願発明の一実施形態の示す参考図
【符号の説明】
１・・・収　納　袋
２・・・確　認　窓
３・・・仕訳区別欄
３ａ・・仕訳区別欄
４・・・飛出し防止カバー
４ａ・・飛出し防止カバー
５・・・袋　　　部
６・・・圧　着　部
７・・・折り線　部
８・・・接　合　部
９・・・表　　　紙
１０・・裏　表　紙
【図１】
2004082683.tif 000003
【図２】
2004082683.tif 000004
【図３】
2004082683.tif 000005
【図４】
2004082683.tif 000006
【図５】
2004082683.tif 000007
【図６】
2004082683.tif 000008
【図７】
2004082683.tif 000009
【図８】
2004082683.tif 000010
【図９】
2004082683.tif 000011
【図１０】
2004082683.tif 000012
【図１１】
2004082683.tif 000013
【図１２】
2004082683.tif 000014
【図１３】
2004082683.tif 000015
【図１４】
2004082683.tif 000016